(57)【要約】【課題】  本発明は、簡単な構成により、敷き布団がベッドから位置ずれすることを防止できる。【解決手段】  本発明は、ベッド本体８の上面に載置される第１敷き布団本体３と、この第１敷き布団本体３の頭側端部に取り付けられており、ベッド本体８の頭側端部に設けられている頭板部１５に嵌め込まれる頭側カバー部６と、を備えたことを特徴とする敷き布団１である。【選択図】  図１
2005323744.tif 000002
【特許請求の範囲】
【請求項１】
ベッド本体の上面に載置される第１敷き布団本体と、この第１敷き布団本体の頭側端部に取り付けられており、ベッド本体の頭側端部に設けられている頭板部に嵌め込まれる頭側カバー部と、を備えたことを特徴とする敷き布団。
【請求項２】
頭側カバー部は、第１敷き布団本体に対し、着脱自在に取り付けられることを特徴とする請求項１に記載の敷き布団。
【請求項３】
第１敷き布団本体の上面に対し第２敷き布団本体を積層可能であり、第２敷き布団本体の上面側に対し第３敷き布団本体を積層可能であることを特徴とする請求項１に記載の敷き布団。
【請求項４】
第１敷き布団本体の両側部に長手方向に亘って設けられた第１ファスナーと、第２敷き布団本体の両側部に長手方向に亘って設けられ、上段ファスナーおよび下段ファスナーの２段からなる第２ファスナーと、第３敷き布団本体の両側部に長手方向に亘って設けられた第３ファスナーと、を備え、
第１敷き布団本体及び第２敷き布団本体を、第１ファスナー及び下段ファスナーを連結させることにより固定可能であり、第２敷き布団本体及び第３敷き布団本体を、上段ファスナー及び第３ファスナーを連結させることにより固定可能であって、
第１敷き布団本体の頭部近傍及び脚部近傍には第１ファスナーが設けられておらず、第２敷き布団本体の頭部近傍及び脚部近傍には第２ファスナーが設けられておらず、第３敷き布団本体の頭部近傍及び脚部近傍には第３ファスナーが設けられておらず、第３敷き布団本体の頭部及び脚部、並びに第２敷き布団本体の頭部及び脚部に、敷き布団カバーを取り付けることが可能となっていることを特徴とする請求項３に記載の敷き布団。
【発明の詳細な説明】
【技術分野】
【０００１】
本発明は、ベッド本体の上面に載置される敷き布団に関する。
【背景技術】
【０００２】
従来から、敷き布団として、下側収容布と、下側収容布上に重ね合わされる上側収容布と、これら下側収容布及び上側収容布間に挟み込まれた状態に収容されるクッション体とを備えた三層構造をなし、上側収容布及び下側収容布間が、それぞれの周縁部に沿って設けられたファスナーによって互いに着脱可能とされているものが知られている（例えば、特許文献１参照。）。
【特許文献１】特開２００２−９５５５５号公報
【発明の開示】
【発明が解決しようとする課題】
【０００３】
しかしながら、このような従来技術において、敷き布団をベッドに載置し使用した場合、使用者の動きにより、敷き布団がベッドから位置ずれする恐れがあった。
【０００４】
本発明は、以上のような問題点に鑑みてなされたものであり、簡単な構成により、敷き布団がベッドから位置ずれすることを防止できる敷き布団を提供することを目的とする。
【課題を解決するための手段】
【０００５】
以上の目的のため、本発明は、ベッド本体の上面に載置される第１敷き布団本体と、この第１敷き布団本体の頭側端部に取り付けられており、ベッド本体の頭側端部に設けられている頭板部に嵌め込まれる頭側カバー部と、を備えたことを特徴とする敷き布団である。
【０００６】
この発明において、第１敷き布団本体に取り付けられている頭側カバー部が、ベッド本体の頭側端部に嵌め込まれるので、簡単な構成で、第１敷き布団本体がベッド本体に対し位置ずれを生じることを防止できる。
【０００７】
また、本発明において、頭側カバー部は、第１敷き布団本体に対し、着脱自在に取り付けられていても良い。
【０００８】
また、本発明において、第１敷き布団本体の上面に対し第２敷き布団本体を積層可能であり、第２敷き布団本体の上面側に対し第３敷き布団本体を積層可能であっても良い。
【０００９】
この発明では、冬用、夏用等の用途やベッド使用者の希望等に応じて、第２敷き布団本体、第３敷き布団本体を積層でき、ベッド使用者のコストや用途の要望に対応できる。
【００１０】
また、本発明において、第１敷き布団本体の両側部に長手方向に亘って設けられた第１ファスナーと、第２敷き布団本体の両側部に長手方向に亘って設けられ、上段ファスナーおよび下段ファスナーの２段からなる第２ファスナーと、第３敷き布団本体の両側部に長手方向に亘って設けられた第３ファスナーと、を備え、
第１敷き布団本体及び第２敷き布団本体を、第１ファスナー及び下段ファスナーを連結させることにより固定可能であり、第２敷き布団本体及び第３敷き布団本体を、上段ファスナー及び第３ファスナーを連結させることにより固定可能であって、
第１敷き布団本体の頭部近傍及び脚部近傍には第１ファスナーが設けられておらず、第２敷き布団本体の頭部近傍及び脚部近傍には第２ファスナーが設けられておらず、第３敷き布団本体の頭部近傍及び脚部近傍には第３ファスナーが設けられておらず、第３敷き布団本体の頭部及び脚部、並びに第２敷き布団本体の頭部及び脚部に、敷き布団カバーを取り付けることが可能となっていても良い。
【００１１】
この発明では、第３敷き布団本体の頭部及び脚部、並びに第２敷き布団本体の頭部及び脚部に、敷き布団カバーを取り付けることが可能となっているので、第１敷き布団本体に取り付けられている頭側カバー部が、ベッド本体の頭側端部に嵌め込まれている状態であっても、敷き布団本体に対し敷き布団カバーを取り付けることができる。
【発明の効果】
【００１２】
本発明によれば、第１敷き布団本体に取り付けられている頭側カバー部が、ベッド本体の頭側端部に嵌め込まれるので、簡単な構成で、第１敷き布団本体がベッド本体に対し位置ずれを生じることを防止できる。
【発明を実施するための最良の形態】
【００１３】
以下、本発明の実施の形態につき、図面を参照して説明する。
本発明の実施の形態による敷き布団１は、図１に示すように、第１敷き布団本体３、第２敷き布団本体４、及び、第３敷き布団本体５からなる敷き布団本体２と、頭側カバー部６と、敷き布団カバー７とを備えている。この敷き布団１は、製品サイズが１００×２００ｃｍとなっている。
【００１４】
敷き布団本体２の下層に位置する第１敷き布団本体３は、ベッド本体８の上面に直接、載置される。第１敷き布団本体３は、湿気取りとしての機能を備えている。
【００１５】
図５（ａ）におけるように、第１敷き布団本体３は、中綿９がモイスケアー（登録商標）（吸汗発熱素材）混固綿（７００ｇ／ｍ２、１．５ｋｇ）となっており、このモイスケアー混固綿を、上面側１０が綿サテン生地であり、下面側１１がハニカムネットである第１敷き布団本体カバー１２で覆った構成となっている。中綿９であるモイスケアー混固綿は、モイスケアー５０％、ポリエステル５０％（モイスケアー５０％、ポリエステル３０％、低融点ポリエステル２０％）となっている。
【００１６】
図２におけるように、第１敷き布団本体３の両側部に長手方向に第１ファスナー１３が設けられているが、第１敷き布団本体３の頭部近傍及び脚部近傍には第１ファスナー１３が達していない。第１敷き布団本体３の頭側端部には短手方向に頭側ファスナー１４が設けられている。
【００１７】
図１、２におけるように、頭側カバー部６は、第１敷き布団本体３の頭側端部に取り付けられており、ベッド本体８の頭側端部に設けられている頭板部１５に嵌め込まれる。頭側カバー部６は、前面部１６と、後面部１７と、前面部下端に設けられた頭側カバー部ファスナー１８とを備えている。頭側カバー部６は、内綿のポリエステル固綿を、外面側がハニカムネットであり、内面側が綿サテン生地である頭側カバー部カバーで覆った構成となっている。
【００１８】
第１敷き布団本体３の頭側ファスナー１４と頭側カバー部ファスナー１８とを連結することにより、頭側カバー部６は第１敷き布団本体３に対し、着脱自在に取り付けられる。
【００１９】
頭側カバー部６の前面部１６と後面部１７とは、頭側カバー部６の前面部１６の内面に設けられた頭側カバー部止着部材（図示せず）を、頭側カバー部６の後面部１７に止着することにより固定される。頭側カバー部６の前面部１６に設けられた頭側カバー部止着部材は、ベッド本体８の頭側端部と頭板部１５との間の隙間部を通して、頭側カバー部６の後面部１７に止着される。
【００２０】
図１〜３に示すように、敷き布団本体２の中層に位置する第２敷き布団本体４は、第１敷き布団本体３の上面に対しを着脱自在に積層される。第２敷き布団本体４の両側部に長手方向に亘って第２ファスナー１９が設けられる。第２ファスナー１９は、上段ファスナー２０および下段ファスナー２１の２段からなる。第２敷き布団本体４の頭部近傍及び脚部近傍には第２ファスナー１９が設けられていない。第１敷き布団本体３の第１ファスナー１３及び下段ファスナー２１を連結させることにより、第１敷き布団本体３及び第２敷き布団本体４が連結されて固定される。
【００２１】
図５（ｂ）におけるように、第２敷き布団本体４としては、上層２２および下層２３の２層が一体となった構成である。上層２２としては、内綿２４のウール混固綿（５００ｇ／ｍ２、１．０ｋｇ）を、上面側２５がスムースニットであり、下面側２６が中生地である上層カバー２７で覆った構成となっている。内綿２４のウール混固綿は、ウール２０％、ポリエステル８０％（ウール２０％、バイオシル４０％、低融点ポリエステル４０％）となっている。
【００２２】
下層２３としては、内綿２８のポリエステル固綿（７５０ｇ／ｍ２、１．５ｋｇ）を、上面側２９が中生地であり、下面側３０が綿サテン生地である下層カバー３１で覆った構成となっている。内綿２８のポリエステル固綿は、バイオシル７０％、低融点ポリエステル３０％となっている。
【００２３】
図１〜３におけるように、敷き布団本体２の上層に位置する第３敷き布団本体５は、第２敷き布団本体４の上面側に対しを着脱自在に積層される。第３敷き布団本体５の両側部に長手方向に亘って第３ファスナー３１が設けられる。第３敷き布団本体５の頭部近傍及び脚部近傍には第３ファスナー３１が設けられていない。第２敷き布団本体４の上段ファスナー２０及び第３ファスナー３１を連結させることにより第２敷き布団本体４及び第３敷き布団本体５が、連結されて固定可能される。
【００２４】
図５（ａ）におけるように、第３敷き布団本体５としては、内綿が３層となっている。内綿の上層３２は、羊毛成形綿（５５０ｇ／ｍ２、１．１ｋｇ）であり、中層３４は、腰当て綿（０．２ｋｇ）であり、下層３３は、ウールニードル綿（７００ｇ／ｍ２、１．４ｋｇ）となっている。３層からなる内綿全体は、ウール１００％であって、２．７ｋｇとなっている。第３敷き布団本体５の内綿を、上面側３５がシステマニットであり、下面側３６が綿サテン生地である第３敷き布団本体カバー３７で覆った構成となっている。
【００２５】
図１、４におけるように、敷き布団カバー７は、第１敷き布団本体３、第２敷き布団本体４、及び、第３敷き布団本体５を覆うものである。敷き布団カバー７の頭部及び脚部は、夫々、内側に開口部を有する頭部袋状部３８及び脚部袋状部３９となっている。
【００２６】
第１敷き布団本体３に取り付けられている頭側カバー部６がベッド本体８の頭板部１５に取り付けられている状態で、頭部袋状部３８の開口部に対し、第３敷き布団本体５の頭部を入れ込むこと、または、第３敷き布団本体５の頭部と第２敷き布団本体４の頭部の双方を入れ込むこと、並びに、脚部袋状部３９の開口部に対し、第３敷き布団本体５の脚部を入れ込むこと、または、第３敷き布団本体５の脚部と第２敷き布団本体４の脚部の双方を入れ込むこと、または、第３敷き布団本体５の脚部、第２敷き布団本体４の脚部、第１敷き布団本体３の脚部の全てを入れ込むことによって、敷き布団本体２に対し、敷き布団カバー７を組み合わせる。
【００２７】
図４におけるように、敷き布団カバー７の両側部の挟み込み用布部４０は、第１敷き布団本体３とベッド本体８の間に挟み込まれる。
【００２８】
図４（ｃ）におけるように、敷き布団カバー７の頭部袋状部３８及び脚部袋状部３９の下面には、短手方向に亘ってゴム４１が設けられている。
【００２９】
次に、ベッド本体８に対し、本発明の実施の形態による敷き布団１を敷く動作につき、説明する。
まず、第１敷き布団本体３の頭側ファスナー１４と頭側カバー部６の頭側カバー部ファスナー１８とを連結することにより、頭側カバー部６と第１敷き布団本体３とを連結させる。
【００３０】
次に、第１敷き布団本体３に頭側カバー部６を取り付けた状態で、ベッド本体８の上面に第１敷き布団本体３を載置し、頭側カバー部６を、ベッド本体８の頭板部１５に嵌め込む。
第１敷き布団本体３の両側部に長手方向に亘って設けられた第１ファスナー１３、及び、第２敷き布団本体４の両側部に長手方向に亘って設けられた下段ファスナー２１を連結させることにより、第１敷き布団本体３の上面に第２敷き布団本体４を積層する。
【００３１】
第２敷き布団本体４の両側部に長手方向に亘って設けられた上段ファスナー２０、及び、第３敷き布団本体５の両側部に長手方向に亘って設けられた第２ファスナー１９を連結させることにより、第２敷き布団本体４の上面に第３敷き布団本体５を積層する。
敷き布団カバー７の頭部袋状部３８を、第３敷き布団本体５の頭部及び第２敷き布団本体４の頭部に入れ込み、敷き布団カバー７の脚部袋状部３９を、第３敷き布団本体５の脚部、第２敷き布団本体４の脚部、及び、第１敷き布団本体４の脚部に入れ込むことによって、敷き布団カバー７を敷き布団本体２に取り付ける。
【００３２】
敷き布団カバー７の両側部挟み込み用布部４０を、第１敷き布団本体３とベッド本体８との隙間に挟み込んで、敷き布団カバー７を敷き布団本体２に固定する。
以上のようにして、ベッド本体８に対し、敷き布団１を敷くことができる。
【００３３】
本発明の実施の形態では、ベッド本体８の上面に載置される第１敷き布団本体３と、この第１敷き布団本体３の頭側端部に取り付けられており、ベッド本体８の頭側端部に設けられている頭板部１５に嵌め込まれる頭側カバー部６と、を備えたことを特徴とする敷き布団１であるので、簡単な構成で、第１敷き布団本体３がベッド本体８に対し位置ずれを生じることを防止できる。
【００３４】
また、本発明の実施の形態では、第１敷き布団本体３の上面に対し第２敷き布団本体４を着脱自在に積層可能であり、第２敷き布団本体４の上面側に対し第３敷き布団本体５を着脱自在に積層可能であるので、冬用、夏用等の用途やベッド使用者の希望等に応じて、第２敷き布団本体４、第３敷き布団本体５を積層でき、ベッド使用者のコストや用途の要望に対応できる。
【００３５】
また、本発明の実施の形態では、第１敷き布団本体３の両側部に長手方向に亘って設けられた第１ファスナー１３と、第２敷き布団本体４の両側部に長手方向に亘って設けられ、上段ファスナー２０および下段ファスナー２１の２段からなる第２ファスナー１９と、第３敷き布団本体５の両側部に長手方向に亘って設けられた第３ファスナー３１と、を備え、第１敷き布団本体３及び第２敷き布団本体４を、第１ファスナー１３及び下段ファスナー２１を連結させることにより固定可能であり、第２敷き布団本体４及び第３敷き布団本体５を、上段ファスナー２０及び第３ファスナー３１を連結させることにより固定可能であって、第１敷き布団本体３の頭部近傍及び脚部近傍には第１ファスナー１３が設けられておらず、第２敷き布団本体４の頭部近傍及び脚部近傍には第２ファスナー１９が設けられておらず、第３敷き布団本体５の頭部近傍及び脚部近傍には第３ファスナー３１が設けられておらず、第３敷き布団本体５の頭部及び脚部、並びに第２敷き布団本体４の頭部及び脚部に、敷き布団カバー７を取り付けることが可能となっているので、第１敷き布団本体３に取り付けられている頭側カバー部６が、ベッド本体８の頭板部１５に嵌め込まれている状態であっても、敷き布団本体２に対し敷き布団カバー７を取り付けることができる。
【００３６】
また、敷き布団カバーの両側部の挟み込み用布部が、第１敷き布団本体とベッド本体の間に挟み込まれるので、敷き布団本体に対する敷き布団カバーの位置ずれを防止できる。
【００３７】
また、敷き布団カバーの頭部袋状部及び脚部袋状部の下面には、短手方向に亘ってゴムが設けられているので、敷き布団カバーから敷き布団本体が抜け出ることを防止できる。
また、第３敷き布団本体が、吸汗発熱素材（汗を吸収することにより発熱する素材）よりなるので、敷き布団に汗、湿気が溜まることを防止できる。
【００３８】
また、第１敷き布団本体の第１ファスナーと第３敷き布団本体の第３ファスナーとを連結可能とし、第１敷き布団本体の上層に対し、互いに異なる素材、内綿からなる第２敷き布団本体、第３敷き布団本体のうち、何れか一方のみを積層することができるようにすれば、敷き布団使用者の要望（コスト、使用感等）に応じた敷き布団を構成することができる。
【００３９】
尚、本発明の実施の形態において、第１敷き布団本体と第２敷き布団本体、及び、第２敷き布団本体と第３敷き布団本体を、ファスナーにより連結し固定している。しかしながら、このような構成ではなく、第１敷き布団本体と第２敷き布団本体、及び、第２敷き布団本体と第３敷き布団本体を、ファスナー等の連結部材により連結せず、第１敷き布団本体、第２敷き布団本体、及び、第３敷き布団本体を積層した状態において、敷き布団カバー７によりこれらを覆うことのみで、これらの位置ずれを防止するようにしても良い。
【図面の簡単な説明】
【００４０】
【図１】本発明の実施の形態による敷き布団を示す側面図である。
【図２】本発明の実施の形態による敷き布団を示す分解図である。
【図３】本発明の実施の形態による敷き布団の連結部を示す側面図である。
【図４】本発明の実施の形態による敷き布団を示す側面図である。
【図５】本発明の実施の形態による敷き布団の各敷き布団本体の構造を示す図である。
【符号の説明】
【００４１】
１‥‥敷き布団、２‥‥敷き布団本体、３‥‥第１敷き布団本体、４‥‥第２敷き布団本体、５‥‥第３敷き布団本体、６‥‥頭側カバー部、７‥‥敷き布団カバー、８‥‥ベッド本体、１３‥‥第１ファスナー、１５‥‥頭板部、１９‥‥第２ファスナー、２０‥‥上段ファスナー、２１‥‥下段ファスナー、３１‥‥第３ファスナー
【図１】
2005323744.tif 000003
【図２】
2005323744.tif 000004
【図３】
2005323744.tif 000005
【図４】
2005323744.tif 000006
【図５】
2005323744.tif 000007